(57)【特許請求の範囲】
【請求項１】
ネットワークを介して番組情報を有しているサーバに接続されるとともに、表示機能を有する放送受信装置と連携して動作し、放送番組の前記番組情報を表示させる表示制御装置であって、
前記放送受信装置から視聴者の嗜好情報を取得する嗜好情報取得部と、
前記嗜好情報に合致した嗜好対象番組の前記番組情報を前記サーバから取得する番組情報取得部と、
前記放送受信装置に対する電源オフ指示およびチャンネル切り替え指示の少なくとも一方を検出する受信装置状態検出部と、
前記嗜好情報に合致した嗜好対象番組の前記番組情報の少なくとも一部を表示する番組情報表示部と、
前記電源オフ指示および前記チャンネル切り替え指示の少なくとも一方に基づいて、前記番組情報表示部の表示開始を制御する表示制御部とを備え、
前記表示制御部は、前記チャンネル切り替え指示が検出された際に、切り替え後のチャンネル以外のチャンネルでその後に放送される前記嗜好対象番組の前記番組情報の少なくとも一部の表示を開始させるように前記番組情報表示部を制御する、表示制御装置。
【請求項２】
前記嗜好情報に合致した前記嗜好対象番組を所定の場所から取得した検索対象から検索する検索部と、
前記検索部によって特定した前記嗜好対象番組についての前記番組情報を前記サーバから受信する通信部とを備え、
前記番組情報取得部は、前記嗜好対象番組の前記番組情報を前記通信部から取得する、請求項１に記載の表示制御装置。
【請求項３】
前記所定の場所は、前記放送受信装置であり、
前記検索対象は、ＥＰＧ情報である、請求項２に記載の表示制御装置。
【請求項４】
前記嗜好情報を前記サーバへ送信し、前記サーバで検索された、前記嗜好情報に合致した前記嗜好対象番組の前記番組情報を受信する通信部を備え、
前記番組情報取得部は、前記嗜好対象番組の前記番組情報を前記通信部から取得する、請求項１に記載の表示制御装置。
【請求項５】
前記表示制御部は、前記チャンネル切り替え指示が検出された際に、切り替え前のチャンネルでその後に放送される前記嗜好対象番組の前記番組情報の少なくとも一部の表示を開始させるように前記番組情報表示部を制御する、請求項１に記載の表示制御装置。
【請求項６】
前記番組情報表示部は、前記表示制御装置の本体部に内蔵されておらず、外部に備えられている、請求項１〜５のいずれかに記載の表示制御装置。
【請求項７】
前記表示制御装置は、前記放送受信装置に組み込まれており、
前記番組情報表示部は、前記放送受信装置の前記放送番組の映像を表示させる画面に兼ねられている、請求項１〜５のいずれかに記載の表示制御装置。
【請求項８】
ネットワークを介して番組情報を有しているサーバから放送番組の番組情報を取得するとともに、表示機能を有する放送受信装置と連携し前記番組情報を表示する、請求項１に記載の表示制御装置が実行する表示制御方法であって、
前記嗜好情報取得部が、前記放送受信装置から視聴者の嗜好情報を取得する嗜好情報取得ステップと、
前記番組情報取得部が、前記嗜好情報に合致した嗜好対象番組の前記番組情報を前記サーバから取得する番組情報取得ステップと、
前記受信装置状態検出部が、前記放送受信装置に対する電源オフ指示およびチャンネル切り替え指示の少なくとも一方を検出する受信装置状態検出ステップと、
前記表示制御部が、前記電源オフ指示および前記チャンネル切り替え指示の少なくとも一方に基づいて、前記番組情報の表示開始を制御する表示制御ステップとを備え、
前記表示制御部は、前記チャンネル切り替え指示が検出された際に、切り替え後のチャンネル以外のチャンネルでその後に放送される前記嗜好対象番組の前記番組情報の少なくとも一部の表示を開始させるように前記番組情報表示部を制御する、表示制御方法。
【請求項９】
請求項８に記載の表示制御方法の、前記嗜好情報取得部が、前記放送受信装置から視聴者の嗜好情報を取得する前記嗜好情報取得ステップ、前記番組情報取得部が、前記嗜好情報に合致した嗜好対象番組の前記番組情報を前記サーバから取得する前記番組情報取得ステップ、前記表示制御部が、前記電源オフ指示および前記チャンネル切り替え指示の少なくとも一方に基づいて、前記番組情報の表示開始を制御する前記表示制御ステップをコンピュータに実行させるプログラム。
【請求項１０】
請求項９に記載のプログラムを記録した記録媒体であって、コンピュータにより処理可能な記録媒体。
【発明の詳細な説明】
【技術分野】
【０００１】
本発明は、視聴者の嗜好にあった番組に関連する番組情報を表示する表示制御装置および表示制御方法等に関するものである。
【背景技術】
【０００２】
近年、ユーザが視聴したい番組を見逃さないようにするための技術開発が進んでいる。その中の１つの方法として、視聴履歴などからユーザの嗜好情報を取得し、取得したユーザの嗜好情報を基に、ユーザの嗜好にあった番組受信や番組情報の表示に関する技術の開発が行われている。
【０００３】
ユーザの嗜好にあった番組情報を表示する方法としては、番組情報を生成する表示制御端末が、サーバからは番組情報を取得し、また録画装置からはユーザの嗜好情報を取得して、ユーザの嗜好にあった番組を番組表に明示する方法がある（例えば、特許文献１参照）。
【０００４】
以下に、特許文献１に開示されている従来の番組情報の表示方法について説明する。
【０００５】
図１１は、特許文献１に開示されている録画視聴予約システムの構成例を示すブロック図である。
【０００６】
表示制御端末４２１、アクセスポイント４２２、ルータ４２３および録画装置４２４が、家庭内ＬＡＮ４１３で接続されている。表示制御端末４２１は、ユーザの操作に応じて、録画装置４２４や映像表示音声再生装置４２５を遠隔制御するリモートコマンダとしての機能を有し、アクセスポイント４２２を経由して録画装置４２４等を制御する。
【０００７】
家庭内ＬＡＮ４１３は、ルータ４２３によってインターネット４１２に接続されており、表示制御端末４２１では、放送される番組に関する番組情報をインターネット４１２経由で番組情報サーバ４１１から取得するとともに、番組の予約の情報、番組の録画の録画結果の情報、またはユーザの嗜好を表す嗜好の情報の１以上の情報を、録画装置４２４などユーザの操作機器から取得する。表示制御端末４２１では、取得された情報によって特定される番組の中から、番組の放送時刻が現在時刻に最も近い番組を、番組表の表示開始時に注目すべき初期番組として選択する。
【０００８】
そして、表示制御端末４２１のＬＣＤ上に番組表を表示開始させる時に、番組表の初期番組を注目状態にして、番組表を表示させる。
【０００９】
このように表示させることにより、ユーザに対して、ユーザの嗜好にあった番組の情報を提示することが可能となる。
【００１０】
また、特許文献２においては、受信した放送番組を表示する表示装置（第１の表示装置）とは別に、放送番組に関する情報を表示する第２の表示装置を備える方法が開示されているが、この第２の表示装置に番組視聴を促す情報を表示させることにより、視聴したい番組の見逃しを防止する方法も考えることができる。
【先行技術文献】
【特許文献】
【００１１】
【特許文献１】特開２００７−２６７０９３号公報
【特許文献２】特開２００８−１６７２６３号公報
【発明の概要】
【発明が解決しようとする課題】
【００１２】
しかしながら、上記した従来の嗜好情報による番組推薦方法では、適切なタイミングでお勧め番組が提示されないために、ユーザが視聴したい番組を見逃してしまったり、ユーザにとって冗長な情報提供となってしまうという問題があった。
【００１３】
すなわち、特許文献１に開示されている番組推薦方法は、ユーザが番組表を表示させる操作を行わなければお勧め番組が表示されないので、番組表を表示させずに電源をオフにした場合には、ユーザはお勧め番組を確認できず視聴したい番組を見逃してしまう。
【００１４】
また、特許文献２に開示されている受信した放送番組を表示する表示装置（第１の表示装置）以外の表示装置（第２の表示装置）で番組に関する情報を表示させる従来の方法を用いて、番組の視聴促進情報などを表示させる方法では、第１の表示装置の電源状態にかかわらず、第２の表示装置に番組の視聴促進情報などを表示させるので、ユーザが、第１の表示装置においてテレビ番組の視聴を続けている状態で、視聴したい番組を見逃すことがない場合であっても視聴促進情報などを表示するので、ユーザにとっては冗長な情報提供となっていた。
【００１５】
本発明は、係る課題に鑑みてなされたものであり、冗長な情報提供をすることなく、適切なタイミングでユーザの嗜好情報に応じたお勧め番組を提示して嗜好番組の見逃しを防止できる表示制御装置および表示制御方法等を提供することを目的とする。
【課題を解決するための手段】
【００１６】
上述した課題を解決するために、第１の本発明は、
ネットワークを介して番組情報を有しているサーバに接続されるとともに、表示機能を有する放送受信装置と連携して動作し、放送番組の前記番組情報を表示させる表示制御装置であって、
前記放送受信装置から視聴者の嗜好情報を取得する嗜好情報取得部と、
前記嗜好情報に合致した嗜好対象番組の前記番組情報を前記サーバから取得する番組情報取得部と、
前記放送受信装置に対する電源オフ指示およびチャンネル切り替え指示の少なくとも一方を検出する受信装置状態検出部と、
前記嗜好情報に合致した嗜好対象番組の前記番組情報の少なくとも一部を表示する番組情報表示部と、
前記電源オフ指示および前記チャンネル切り替え指示の少なくとも一方に基づいて、前記番組情報表示部の表示開始を制御する表示制御部とを備え、
前記表示制御部は、前記チャンネル切り替え指示が検出された際に、切り替え後のチャンネル以外のチャンネルでその後に放送される前記嗜好対象番組の前記番組情報の少なくとも一部の表示を開始させるように前記番組情報表示部を制御する、表示制御装置である。
【００１７】
第２の本発明は、
前記嗜好情報に合致した前記嗜好対象番組を所定の場所から取得した検索対象から検索する検索部と、
前記検索部によって特定した前記嗜好対象番組についての前記番組情報を前記サーバから受信する通信部とを備え、
前記番組情報取得部は、前記嗜好対象番組の前記番組情報を前記通信部から取得する、第１の本発明の表示制御装置である。
【００１８】
第３の本発明は、
前記所定の場所は、前記放送受信装置であり、
前記検索対象は、ＥＰＧ情報である、第２の本発明の表示制御装置である。
【００１９】
第４の本発明は、
前記嗜好情報を前記サーバへ送信し、前記サーバで検索された、前記嗜好情報に合致した前記嗜好対象番組の前記番組情報を受信する通信部を備え、
前記番組情報取得部は、前記嗜好対象番組の前記番組情報を前記通信部から取得する、第１の本発明の表示制御装置である。
【００２０】
【００２１】
第５の本発明は、
前記表示制御部は、前記チャンネル切り替え指示が検出された際に、切り替え前のチャンネルでその後に放送される前記嗜好対象番組の前記番組情報の少なくとも一部の表示を開始させるように前記番組情報表示部を制御する、第１の本発明の表示制御装置である。
【００２２】
第６の本発明は、
前記番組情報表示部は、前記表示制御装置の本体部に内蔵されておらず、外部に備えられている、第１〜第５のいずれかの本発明の表示制御装置である。
【００２３】
第７の本発明は、
前記表示制御装置は、前記放送受信装置に組み込まれており、
前記番組情報表示部は、前記放送受信装置の前記放送番組の映像を表示させる画面に兼ねられている、第１〜第５のいずれかの本発明の表示制御装置である。
【００２４】
第８の本発明は、
ネットワークを介して番組情報を有しているサーバから放送番組の番組情報を取得するとともに、表示機能を有する放送受信装置と連携し前記番組情報を表示する、第１の本発明の表示制御装置が実行する表示制御方法であって、
前記嗜好情報取得部が、前記放送受信装置から視聴者の嗜好情報を取得する嗜好情報取得ステップと、
前記番組情報取得部が、前記嗜好情報に合致した嗜好対象番組の前記番組情報を前記サーバから取得する番組情報取得ステップと、
前記受信装置状態検出部が、前記放送受信装置に対する電源オフ指示およびチャンネル切り替え指示の少なくとも一方を検出する受信装置状態検出ステップと、
前記表示制御部が、前記電源オフ指示および前記チャンネル切り替え指示の少なくとも一方に基づいて、前記番組情報の表示開始を制御する表示制御ステップとを備え、
前記表示制御部は、前記チャンネル切り替え指示が検出された際に、切り替え後のチャンネル以外のチャンネルでその後に放送される前記嗜好対象番組の前記番組情報の少なくとも一部の表示を開始させるように前記番組情報表示部を制御する、表示制御方法である。
【００２５】
第９の本発明は、
第８の本発明の表示制御方法の、前記嗜好情報取得部が、前記放送受信装置から視聴者の嗜好情報を取得する前記嗜好情報取得ステップ、前記番組情報取得部が、前記嗜好情報に合致した嗜好対象番組の前記番組情報を前記サーバから取得する前記番組情報取得ステップ、前記表示制御部が、前記電源オフ指示および前記チャンネル切り替え指示の少なくとも一方に基づいて、前記番組情報の表示開始を制御する前記表示制御ステップをコンピュータに実行させるプログラムである。
【００２６】
第１０の本発明は、
第９の本発明のプログラムを記録した記録媒体であって、コンピュータにより処理可能な記録媒体である。
【発明の効果】
【００２７】
本発明により、冗長な情報提供をすることなく、適切なタイミングでユーザの嗜好情報に応じたお勧め番組を提示して嗜好番組の見逃しを防止できる表示制御装置および表示制御方法等を提供できる。
【図面の簡単な説明】
【００２８】
【図１】本発明にかかる実施の形態１の表示制御装置、並びにＴＶおよびセンター装置の構成を示すブロック図
【図２】本発明にかかる実施の形態１の表示制御装置の処理の流れを示すフローチャート
【図３（ａ）】本発明にかかる実施の形態１の表示制御装置における、番組情報の取得を事前に行っておく場合の処理の流れを示すフローチャート
【図３（ｂ）】本発明にかかる実施の形態１の表示制御装置における、番組情報の取得を事前に行っておく場合の処理の流れを示すフローチャート
【図４】本発明にかかる実施の形態１の他の構成の表示制御装置、並びにＴＶおよびセンター装置の構成を示すブロック図
【図５】本発明にかかる実施の形態２の表示制御装置、並びにＴＶおよびセンター装置の構成を示すブロック図
【図６】本発明にかかる実施の形態２の表示制御装置の処理の流れを示すフローチャート
【図７（ａ）】本発明にかかる実施の形態２の表示制御装置における、番組情報の取得を事前に行っておく場合の処理の流れを示すフローチャート
【図７（ｂ）】本発明にかかる実施の形態２の表示制御装置における、番組情報の取得を事前に行っておく場合の処理の流れを示すフローチャート
【図８】本発明にかかる実施の形態２の他の構成の表示制御装置、並びにＴＶおよびセンター装置の構成を示すブロック図
【図９】本発明にかかる実施の形態３の表示制御装置、並びにＴＶおよびセンター装置の構成を示すブロック図
【図１０】本発明にかかる実施の形態３の表示制御装置の処理の流れを示すフローチャート
【図１１】従来の録画視聴予約システムの構成例を示すブロック図
【発明を実施するための形態】
【００２９】
以下に、本発明および本発明に関連する発明を実施するための最良の形態について、図面を参照しながら説明する。
【００３０】
（実施の形態１）
図１は、本発明にかかる実施の形態１の表示制御装置、並びにＴＶおよびセンター装置の構成を示すブロック図である。
【００３１】
図１において、本実施の形態１の表示制御装置１２０は、インターネットなどのネットワーク１１０を介して他の機器（ここでは、番組情報配信システム１０２）と通信する通信部１２１と、放送を受信し表示するＴＶ１３０と通信するインタフェース部１２２と、ＴＶ１３０の電源状態を監視する電源監視部１２３と、ＴＶ１３０におけるユーザの嗜好情報を取得する嗜好情報取得部１２４と、嗜好情報取得部１２４で取得した嗜好情報を基に検索を行う検索部１２５と、検索部１２５で検索した結果を基にネットワーク上にある他の機器から番組情報を取得する番組情報取得部１２６と、番組情報を表示する表示部１２７と、表示部１２７の表示タイミングを制御する表示制御部１２８を備えている。
【００３２】
なお、番組情報配信システム１０２が、本発明のサーバの一例にあたり、電源監視部１２３が、本発明の受信装置状態検出部の一例にあたる。また、表示部１２７が、本発明の番組情報表示部の一例にあたる。
【００３３】
また、本実施の形態１の表示制御装置１２０の一例としては、小型の液晶ディスプレイを備えたネットワーク通信装置などがある。
【００３４】
また、表示制御装置１２０とネットワーク１１０経由で接続されるセンター装置１００は、放送番組配信システム１０１と番組情報配信システム１０２からなるが、番組情報配信システム１０２は、センター装置１００とは別に設置されてもよい。
【００３５】
一方、表示制御装置１２０と接続されるＴＶ１３０は、センター装置１００の放送番組配信システム１０１から放送される番組を受信してデコードする受信部１３１と、表示制御装置１２０と通信するインタフェース部１３２と、視聴履歴などからユーザの嗜好番組情報を抽出して管理する嗜好情報管理部１３３と、ＴＶ１３０の電源を管理する電源管理部１３４と、受信部１３１でデコードした放送番組を表示する表示部１３５を備えている。
【００３６】
なお、ＴＶ１３０が、本発明の表示機能を有する放送受信装置の一例にあたる。
【００３７】
ＴＶ１３０において、受信部１３１が放送番組配信システム１０１から配信される放送番組を受信してデコードするが、受信してデコードされた番組に関する情報は、視聴履歴として嗜好情報管理部１３３に記録される。嗜好情報管理部１３３では、視聴履歴、視聴時間および視聴回数などの視聴履歴に関する情報から、ユーザの嗜好履歴を抽出する。
【００３８】
受信部１３１で受信しデコードされた放送番組は、表示部１３５にて表示される。
【００３９】
電源管理部１３４は、電源の動作状態（オン、オフなど）の監視および制御を行う。
【００４０】
次に、図２を用いて、本実施の形態１の表示制御装置１２０の処理の流れについて説明する。なお、図２は、本実施の形態１の表示制御装置１２０の処理の流れを示すフローチャートである。
【００４１】
図２において、表示制御装置１２０にて嗜好番組情報取得処理が開始されると（ステップＳ２０１）、表示制御装置１２０の電源監視部１２３は、ＴＶ１３０の電源状態が電源オフになったか否かを確認する（ステップＳ２０２）。なお、ＴＶ１３０の電源状態に関する情報は、ＴＶ１３０の電源管理部１３４からＴＶ１３０のインタフェース部１３２を経由して出力され、表示制御装置１２０の電源監視部１２３が、インタフェース部１２２経由でこの電源状態に関する情報を受け取り、電源状態が電源オフになったか否かを確認する。
【００４２】
なお、ここでいう「ＴＶ１３０の電源状態が電源オフになった」とは、ＴＶ１３０の画面表示用の電源がオフになることを言い、ＴＶ１３０の電源状態が電源オフになった場合でも、インタフェース部１３２、嗜好情報管理部１３３および電源管理部１３４は、待機電源により動作するものとする。
【００４３】
また、電源監視部１２３がインタフェース部１２２経由で受け取る電源状態に関する情報が、本発明の電源オフ指示の一例にあたる。
【００４４】
ステップＳ２０２において、電源状態が電源オフになっていないことを確認した場合（ステップＳ２０２においてＮＯの場合）は、再びステップＳ２０２に戻り、電源状態が電源オフになったか否かの確認を、電源オフになったことが確認されるまで繰り返し実行する。
【００４５】
ステップＳ２０２において、ＴＶ１３０の電源状態が電源オフになったことを確認した場合（ステップＳ２０２においてＹＥＳの場合）には、表示制御装置１２０の嗜好情報取得部１２４は、インタフェース部１２２経由で、ＴＶ１３０の嗜好情報管理部１３３からユーザの嗜好情報を取得する（ステップＳ２０３）。
【００４６】
検索部１２５では、嗜好情報取得部１２４がＴＶ１３０から取得した嗜好情報からユーザが視聴したいであろう番組（嗜好対象番組と呼ぶ）を抽出する（ステップＳ２０４）。
【００４７】
検索部１２５は、ＴＶ１３０の嗜好情報管理部１３３からＥＰＧ情報を取得しており、ユーザがよく見るジャンル、曜日、時間帯などの嗜好情報に基づいて、嗜好対象番組をＥＰＧ情報の中から検索し、抽出する。このとき、検索部１２５は、嗜好対象番組をどのようにして抽出してもよく、例えば、よく見るジャンルの情報のみに基づいて検索し、抽出するようにしてもよい。
【００４８】
そして、通信部１２１が、検索部１２５で抽出された嗜好対象番組に関連する番組情報を、ネットワーク１１０経由で番組情報配信システム１０２から取得する（ステップＳ２０５）。嗜好対象番組に関連する番組情報は、通信部１２１経由で番組情報取得部１２６が取得し、番組情報取得部１２６が取得した嗜好対象番組に関連する番組情報の中から、間もなく放送予定の番組に関連する番組情報を少なくとも１つ選択して（ステップＳ２０６）、表示部１２７に出力する。
【００４９】
ここで、「間もなく放送予定の番組」とは、例えば、現在時刻を基準にして予め決められた時間以内（例えば、３時間以内など）に放送開始予定の番組などである。
【００５０】
表示制御部１２８は、ＴＶ１３０の電源状態が電源オフになったという検出結果を電源監視部１２３から受け取ると、入力された番組情報を表示させるように表示部１２７を制御し（ステップＳ２０７）、嗜好番組情報取得処理を完了する（ステップＳ２０８）。
【００５１】
なお、本実施の形態１では、嗜好対象番組の抽出の処理（ステップＳ２０４）を、検索部１２５が決定することとしたが、センター装置１００によって嗜好対象番組を抽出させるようにしてもよい。例えば、検索部１２５が嗜好情報管理部１３３からジャンルや時間情報などを取得し、キーワードとしてジャンルや時間情報を番組情報配信システム１０２へ送信させ、番組情報配信システム１０２でそのキーワードに該当する嗜好対象番組を抽出させるようにしてもよい。
【００５２】
なお、表示制御装置１２０とＴＶ１３０を接続する方法としては、ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）やＩＰ（Ｉｎｔｅｒｎｅｔ  Ｐｒｏｔｏｃｏｌ）等で実現可能であるが、特に規定しない。
【００５３】
次に、図３（ａ）および図３（ｂ）を用いて、番組情報の取得を事前に行っておく場合の表示制御装置１２０の処理の流れについて説明する。
【００５４】
なお、図３（ａ）および図３（ｂ）は、番組情報の取得を事前に行っておく場合の本実施の形態１の表示制御装置１２０の処理の流れを示すフローチャートである。
【００５５】
図３（ａ）に示すように、嗜好番組情報更新処理は、表示制御装置１２０の嗜好情報取得部１２４が、予め定めた取り決めに基づき、嗜好情報の更新タイミングであるか否かを判定する（ステップＳ３０２）。
【００５６】
ステップＳ３０２において、更新タイミングでないと判定された場合（ステップＳ３０２においてＮＯの場合）は、再びステップＳ３０２に戻り、更新タイミングであるか否かの判定を、更新タイミングであると判定されるまで繰り返し実行する。
【００５７】
ステップＳ３０２において、更新タイミングであると判定された場合（ステップＳ３０２においてＹＥＳの場合）には、嗜好情報取得部１２４は、インタフェース部１２２経由で、ＴＶ１３０の嗜好情報管理部１３３からユーザの嗜好情報を取得する（ステップＳ３０３）。
【００５８】
なお、嗜好情報の更新タイミングに関する予め定める取り決めとしては、デジタル放送の番組表（ＥＰＧ）が更新されるタイミング（毎日深夜に１回）や毎週日曜の正午など周期的に行う方法や、ユーザが電源を入れる毎や新番組を視聴する毎など、ユーザ操作に依存する不定期に行う方法なども考えられるが、特に規定しない。
【００５９】
また、嗜好情報の更新タイミングをＴＶ１３０側で生成し、更新タイミングになると、嗜好情報管理部１３３で抽出された嗜好情報を表示制御装置１２０側に送信するようにしてもよい。
【００６０】
表示制御装置１２０の検索部１２５では、嗜好情報取得部１２４がＴＶ１３０から取得した嗜好情報から嗜好対象番組を抽出する（ステップＳ３０４）。
【００６１】
そして、通信部１２１が、検索部１２５で抽出された嗜好対象番組に関連する番組情報を、ネットワーク１１０経由で番組情報配信システム１０２から取得する（ステップＳ３０５）。嗜好対象番組に関連する番組情報は、通信部１２１経由で番組情報取得部１２６が取得する。
【００６２】
一方、嗜好番組情報の表示処理は、図３（ａ）に示した嗜好番組情報更新処理とは非同期に、図３（ｂ）に示すフローにしたがって行なわれる。
【００６３】
図３（ｂ）において、表示制御装置１２０にて嗜好番組情報表示処理が開始されると（ステップＳ３０１）、表示制御装置１２０の電源監視部１２３は、ＴＶ１３０の電源状態が電源オフになったか否かを確認する（ステップＳ３０６）。なお、ＴＶ１３０の電源状態に関する情報は、ＴＶ１３０の電源管理部１３４からＴＶ１３０のインタフェース部１３２を経由して出力され、表示制御装置１２０の電源監視部１２３が、インタフェース部１２２経由でこの電源状態に関する情報を受け取り、電源状態が電源オフになったか否かを確認する。
【００６４】
ステップＳ３０６において、電源状態が電源オフになっていないことを確認した場合（ステップＳ３０６においてＮＯの場合）には、再びステップＳ３０６に戻り、電源状態が電源オフになったか否かの確認を、電源オフになったことが確認されるまで繰り返し実行する。
【００６５】
ステップＳ３０６において、電源状態が電源オフになったことを確認した場合（ステップＳ３０６においてＹＥＳの場合）には、図３（ａ）のステップＳ３０５において番組情報取得部１２６が取得した嗜好対象番組に関連する番組情報の中から、間もなく放送予定の番組の番組情報を少なくとも１つ選択して（ステップＳ３０７）、表示部１２７に出力する。
【００６６】
ここで、「間もなく放送予定の番組」とは、例えば、現在時刻を基準にして予め決められた時間以内（例えば、３時間以内など）に放送開始予定の番組などである。
【００６７】
表示制御部１２８は、ＴＶ１３０の電源状態が電源オフになったという検出結果を電源監視部１２３から受け取ると、入力された番組情報を表示させるように表示部１２７を制御し（ステップＳ３０８）、嗜好番組情報表示処理を完了する（ステップＳ３０９）。
【００６８】
本実施の形態１の表示制御装置１２０によれば、ユーザの嗜好にあった放送番組の番組情報を、ＴＶ１３０などの放送受信装置の電源オフのタイミングで表示することで、ユーザに対して、ユーザがＴＶ１３０を視聴していない間に放送される嗜好番組の視聴を促し、効率的に嗜好番組の見逃しを防ぐ効果が得られる。
【００６９】
つまり、ＴＶ１３０の電源がオン状態では、ユーザはそのままＴＶ１３０を見続けるので番組情報を表示して視聴を促しても無駄になる可能性があり、また、ＴＶ１３０の電源がオフ状態である場合にはユーザがＴＶ１３０の近くにいる可能性が低く、表示制御装置１２０で番組情報を表示しても無駄になる可能性があるが、ＴＶ１３０の電源をオフしたタイミングであれば、ＴＶ視聴をまさに中断した状態で且つユーザがＴＶ１３０の前にいる状態なので、見逃しを防ぐには効果的なタイミングであるといえる。
【００７０】
以上のように、ＴＶ１３０（本発明の放送受信装置）の電源がオフになるタイミングで、ユーザの嗜好対象番組に関する番組情報の中から、間もなく放送予定であった番組に関連する番組情報を選択して、表示制御装置１２０の表示部１２７（本発明の番組情報表示部）に表示させるので、放送受信装置の電源オフ時に、ユーザの嗜好に合った番組情報を表示でき、さらに、ユーザの嗜好情報に応じたお勧め番組の視聴促進情報などについても表示することができることから、嗜好番組の見逃しを防止することができる。さらに、ユーザが、放送受信装置において同一チャンネルのテレビ番組の視聴を続けている状態で、視聴したい番組を見逃すことがない状態においては視聴促進情報などを表示しないので、ユーザに対する冗長な情報提供を防止することが可能となる。
【００７１】
なお、表示制御装置１２０の接続先である本発明の放送受信装置としては、ＴＶ以外にもパソコンなどの表示手段を持つ放送受信装置であってもよい。
【００７２】
また、本実施の形態１において、嗜好情報取得部１２４が、検索部１２５の機能を備えた構成としてもよいし、さらに通信部１２１の機能も備えた構成としてもかまわない。
【００７３】
また、本実施の形態１では、ステップＳ２０２やステップＳ３０６において、電源監視部１２３が、ＴＶ１３０の電源がオフになったことを検知することとしたが、ＴＶ１３０に対して電源オフ指示がされる際に出力される電源オフ指示信号を検出することとしてもよい。その場合、電源オフ指示信号を検出し、番組情報を表示部１２７に表示させ、ユーザがその表示を確認した後に、ＴＶ１３０の電源をオフするように制御してもよい。
【００７４】
また、本実施の形態１においては、ＴＶ１３０の嗜好情報管理部１３３がユーザの嗜好番組情報の抽出を行ったが、嗜好情報管理部１３３がユーザ（視聴者）の視聴履歴や視聴時間などの情報を管理し、表示制御装置１２０の嗜好情報取得部１２４が、嗜好情報管理部１３３から受け取ったユーザの視聴履歴や視聴時間などの情報を基に、嗜好情報の抽出を行うようにしてもよい。
【００７５】
また、本実施の形態１においては、検索部１２５がユーザの嗜好対象番組の抽出を行うこととしたが、検索部１２５がユーザの嗜好情報のキーワード（ユーザがよく見るジャンルや曜日、時間帯、出演者など）を通信部１２１によって番組情報配信システム１０２へ送信させ、番組情報配信システム１０２が、検索部１２５から受け取ったユーザの嗜好情報のキーワードを基に、ユーザの嗜好対象番組を抽出してもよい。また、番組情報配信システム１０２が、検索部１２５から受け取ったユーザの嗜好情報のキーワードを基に嗜好対象番組候補を抽出し、番組情報取得部１２６が、番組情報配信システム１０２から受け取ったユーザの嗜好対象番組候補を基に、嗜好対象番組を抽出するようにしてもよい。
【００７６】
なお、嗜好対象番組や嗜好対象番組候補を抽出させるために番組情報配信システム１０２へ送信するユーザの嗜好情報のキーワードが、本発明の、検索させるためにサーバへ送信する嗜好情報の一例にあたる。
【００７７】
次に、本実施の形態１の他の構成の表示制御装置について説明する。
【００７８】
図４は、本実施の形態１の他の構成の表示制御装置、並びにＴＶおよびセンター装置の構成を示すブロック図である。
【００７９】
図４において、本実施の形態１の他の構成の表示制御装置１６０が、図１に示した表示制御装置１２０と相異する点は、表示部１２７を備えていないことのみであり、その他の構成要素は表示制御装置１２０と同様であるので同じ符号を付し、ここでは説明を省略する。
【００８０】
また、表示制御装置１６０とネットワーク１１０経由で接続されるセンター装置は、図１に示した構成におけるセンター装置１００と同じであり、また、表示制御装置１６０と接続されるＴＶは、図１に示した構成におけるＴＶ１３０と同じであるので、それぞれ同じ符号を付し、ここでは説明を省略する。
【００８１】
表示装置１７０は、少なくとも図１に示される表示部１２７と同等の機能を備え、表示制御装置１６０の番組情報取得部１２６から出力される番組情報などを表示する。また、表示装置１７０は、表示制御装置１６０の電源監視部１２３におけるＴＶ１３０の電源状態が電源オフになったか否かの検知結果に応じて、表示制御部１２８によってその表示や電源のオン・オフ状態が制御される。
【００８２】
なお、表示装置１７０が、本発明の、外部に備えられている番組情報表示部の一例にあたる。
【００８３】
以上のように構成することにより、表示制御装置１６０は、図１に示した構成の表示制御装置１２０と同様の効果を発揮することが可能である。
【００８４】
なお、表示装置１７０は、ＴＶ１３０と同等の構成でもよいが、放送の受信部は必ずしも必要ではないので、パソコンなどであってもかまわない。また、表示装置１７０の表示部は、ＴＶ１３０より小型で低消費電力であることが望ましく、その方が省電力効果は大きい。
【００８５】
（実施の形態２）
図５は、本発明にかかる実施の形態２の表示制御装置、並びにＴＶおよびセンター装置の構成を示すブロック図である。
【００８６】
図５において、表示制御装置１４０が、図１に示す実施の形態１の表示制御装置１２０と異なる点は、表示制御装置１２０が備えている電源監視部１２３の代わりに、ＴＶ１５０の選局状態を監視するチャンネル監視部１４１を備えている点と、チャンネル監視部１４１の検出結果に基づいて表示部１２７への表示タイミングを制御する表示制御部１４２を備えている点である。それら以外のブロック（構成要素）については表示制御装置１２０と同様であるので同じ符号を付し、ここでは説明を省略する。
【００８７】
なお、チャンネル監視部１４１が、本発明の受信装置状態検出部の一例にあたる。
【００８８】
また、表示制御装置１４０とネットワーク１１０経由で接続されるセンター装置は、図１に示した実施の形態１におけるセンター装置１００と同じであるので同じ符号を付し、ここでは説明を省略する。
【００８９】
また、表示制御装置１４０と接続されるＴＶ１５０は、図１に示した実施の形態１におけるＴＶ１３０と基本的には同じ構成であるが、受信部１３１からインタフェース部１３２経由で、表示制御装置１４０に対して選局情報を出力できるように構成されていることのみが異なる。
【００９０】
また、本実施の形態２においては、電源管理部１３４が有している機能は必ずしも必要ではないので、ＴＶ１５０は電源管理部１３４を備えていなくてもかまわない。
【００９１】
ＴＶ１５０において、受信部１３１が放送番組配信システム１０１から配信される放送番組を受信してデコードするが、受信してデコードされた番組に関する情報は、視聴履歴として嗜好情報管理部１３３に記録される。嗜好情報管理部１３３では、視聴履歴や視聴時間、視聴回数などの視聴履歴に関する情報から、ユーザの嗜好履歴を抽出する。受信部１３１で受信しデコードされた放送番組は、表示部１３５にて表示される。
【００９２】
次に、図６を用いて、本実施の形態２の表示制御装置１４０の処理の流れについて説明する。なお、図６は、本実施の形態２の表示制御装置１４０の処理の流れを示すフローチャートである。
【００９３】
図６において、表示制御装置１４０にて嗜好番組情報取得処理が開始されると（ステップＳ５０１）、表示制御装置１４０のチャンネル監視部１４１は、ＴＶ１５０の選局状態を監視し、ＴＶ１５０においてチャンネル変更がなされたか否かを判定する（ステップＳ５０２）。
【００９４】
なお、ＴＶ１５０の選局状態に関する情報は、ＴＶ１５０の受信部１３１からＴＶ１５０のインタフェース部１３２を経由して出力され、表示制御装置１４０のチャンネル監視部１４１が、インタフェース部１２２経由で選局状態に関する情報を受け取り、受け取った情報を基にしてチャンネル変更がなされたか否かを判定する。
【００９５】
なお、チャンネル監視部１４１がインタフェース部１２２経由で受け取る選局状態に関する情報が、本発明のチャンネル切り替え指示の一例にあたる。
【００９６】
ステップＳ５０２において、チャンネル変更がなされていないと判定された場合（ステップＳ５０２においてＮＯの場合）は、再びステップＳ５０２に戻り、ＴＶ１５０においてチャンネル変更がなされたか否かの判定を、チャンネル変更がなされたと判定されるまで繰り返し実行する。
【００９７】
ステップＳ５０２において、チャンネル変更がなされたと判定された場合（ステップＳ５０２においてＹＥＳの場合）には、表示制御装置１４０の嗜好情報取得部１２４は、インタフェース部１２２経由で、ＴＶ１５０の嗜好情報管理部１３３からユーザの嗜好情報を取得する（ステップＳ５０３）。
【００９８】
検索部１２５では、嗜好情報取得部１２４がＴＶ１５０から取得した嗜好情報からユーザが視聴したいであろう嗜好対象番組を抽出する（ステップＳ５０４）。
【００９９】
そして、通信部１２１が、検索部１２５で抽出された嗜好対象番組に関連する番組情報を、ネットワーク１１０経由で番組情報配信システム１０２から取得する（ステップＳ５０５）。嗜好対象番組に関連する番組情報は、通信部１２１経由で番組情報取得部１２６が取得し、番組情報取得部１２６が取得した嗜好対象番組に関連する番組情報の中から、変更前のチャンネルで間もなく放送予定の番組の番組情報を少なくとも１つ選択して（ステップＳ５０６）、表示部１２７に出力する。
【０１００】
ここで、「間もなく放送予定の番組」とは、例えば、現在時刻を基準にして予め決められた時間以内（例えば、３時間以内など）に放送開始予定の番組などである。
【０１０１】
表示制御部１４２は、ＴＶ１５０においてチャンネル変更がなされたという検出結果をチャンネル監視部１４１から受け取ると、入力された番組情報を表示させるように表示部１２７を制御し（ステップＳ５０７）、嗜好番組情報取得処理を完了する（ステップＳ５０８）。
【０１０２】
次に、図７（ａ）および図７（ｂ）を用いて、番組情報の取得を事前に行っておく場合の表示制御装置１４０の処理の流れについて説明する。
【０１０３】
なお、図７（ａ）および図７（ｂ）は、番組情報の取得を事前に行っておく場合の本実施の形態２の表示制御装置１４０の処理の流れを示すフローチャートである。
【０１０４】
図７（ａ）に示すように、嗜好番組情報更新処理は、表示制御装置１４０の嗜好情報取得部１２４が、予め定めた取り決めに基づき、嗜好情報の更新タイミングであるか否かを判定する（ステップＳ６０２）。
【０１０５】
ステップＳ６０２において、更新タイミングでないと判定された場合（ステップＳ６０２においてＮＯの場合）は、再びステップＳ６０２に戻り、更新タイミングであるか否かの判定を、更新タイミングであると判定されるまで繰り返し実行する。
【０１０６】
ステップＳ６０２において、更新タイミングであると判定された場合（ステップＳ６０２においてＹＥＳの場合）には、嗜好情報取得部１２４は、インタフェース部１２２経由で、ＴＶ１５０の嗜好情報管理部１３３からユーザの嗜好情報を取得する（ステップＳ６０３）。
【０１０７】
なお、嗜好情報の更新タイミングに関する予め定める取り決めとしては、デジタル放送の番組表（ＥＰＧ）が更新されるタイミング（毎日深夜に１回）や毎週日曜の正午など周期的に行う方法や、ユーザが電源を入れる毎や新番組を視聴する毎など、ユーザ操作に依存する不定期に行う方法なども考えられるが、特に規定しない。
【０１０８】
また、嗜好情報の更新タイミングをＴＶ１５０側で生成し、更新タイミングになると、嗜好情報管理部１３３で抽出された嗜好情報を表示制御装置１４０側に送信するようにしてもよい。
【０１０９】
表示制御装置１４０の検索部１２５では、嗜好情報取得部１２４がＴＶ１５０から取得した嗜好情報から嗜好対象番組を抽出する（ステップＳ６０４）。
【０１１０】
そして、通信部１２１が、検索部１２５で抽出された嗜好対象番組に関連する番組情報を、ネットワーク１１０経由で番組情報配信システム１０２から取得する（ステップＳ６０５）。嗜好対象番組に関連する番組情報は、通信部１２１経由で番組情報取得部１２６が取得する。
【０１１１】
一方、嗜好番組情報の表示処理は、図７（ａ）に示した嗜好番組情報更新処理とは非同期に、図７（ｂ）に示すフローにしたがって行なわれる。
【０１１２】
図７（ｂ）において、表示制御装置１４０にて嗜好番組情報表示処理が開始されると（ステップＳ６０１）、表示制御装置１４０のチャンネル監視部１４１が、インタフェース部１２２経由でＴＶ１５０の受信部１３１から選局状態に関する情報を受け取り、受け取った情報を基にしてチャンネル変更がなされたか否かを判定する（ステップＳ６０６）。
【０１１３】
ステップＳ６０６において、チャンネル変更がなされていないと判定された場合（ステップＳ６０６においてＮＯの場合）は、再びステップＳ６０６に戻り、チャンネル変更がなされたと判定されるまで繰り返し実行する。
【０１１４】
ステップＳ６０６において、チャンネル変更がなされたと判定された場合（ステップＳ６０６においてＹＥＳの場合）には、ステップＳ６０５において番組情報取得部１２６が取得した嗜好対象番組に関連する番組情報の中から、チャンネル変更前のチャンネルにおいて間もなく放送予定の番組の番組情報を少なくとも１つ選択して（ステップＳ６０７）、表示部１２７に出力する。
【０１１５】
ここで、「間もなく放送予定の番組」とは、例えば、現在時刻を基準にして予め決められた時間以内（例えば、３時間以内など）に放送開始予定の番組などである。
【０１１６】
表示制御部１４２は、ＴＶ１５０においてチャンネル変更がなされたという検出結果をチャンネル監視部１４１から受け取ると、入力された番組情報を表示させるように表示部１２７を制御し（ステップＳ６０８）、嗜好番組情報表示処理を完了する（ステップＳ６０９）。
【０１１７】
以上のように、ＴＶ１５０（本発明の放送受信装置）においてチャンネル変更がなされたタイミングで、ユーザの嗜好対象番組に関する番組情報の中から、変更前のチャンネルで間もなく放送予定であった番組に関連する番組情報を選択して、表示制御装置１４０の表示部１２７（本発明の番組情報表示部）に表示させるので、ユーザがそれまで視聴していたチャンネルでその後に放送されるユーザの嗜好に合った番組の見逃しを防止することができる。また、ユーザが、放送受信装置において同一チャンネルのテレビ番組の視聴を続けている状態で、視聴したい番組を見逃すことがない状態においては視聴促進情報などを表示しないので、ユーザに対する冗長な情報提供を防止することが可能となる。
【０１１８】
また、チャンネル切り替えのタイミングで番組情報を表示することで、切り替え前のチャンネルで次に放送される嗜好番組の視聴を促す効果もある。
【０１１９】
なお、本実施の形態２における検索部１２５では、検索条件に変更前チャンネルを加えることで、変更前チャンネルに含まれる嗜好対象番組のみを抽出するようにしてもよい。
【０１２０】
また、上記では、ステップＳ５０６およびステップＳ６０７において、番組情報取得部１２６は、変更前のチャンネルで間もなく放送予定の番組の番組情報を少なくとも１つ選択して表示部１２７に出力することとしたが、変更後のチャンネル以外のチャンネルで間もなく放送予定の番組の番組情報を少なくとも１つ選択して表示部１２７に出力するようにしてもよい。
【０１２１】
このようにすることにより、ユーザがそれまで視聴していたチャンネルおよび切り替え後のチャンネル以外のチャンネルでその後に放送されるユーザの嗜好に合った番組があった場合に、その番組の見逃しを防止することができる。
【０１２２】
また、実施の形態１の図４に示したように、表示制御装置１４０の表示部１２７を設けずに、外部に接続した表示装置に番組情報を表示させる構成としてもよい。
【０１２３】
また、実施の形態１の図５で示したように、本実施の形態２においても、表示制御装置１４０の表示部１２７の代りに、外部接続した表示装置に番組情報を表示させるようにしてもよい。
【０１２４】
次に、本実施の形態２の他の構成の表示制御装置について説明する。
【０１２５】
図８は、本実施の形態２の他の構成の表示制御装置、並びにＴＶおよびセンター装置の構成を示すブロック図である。
【０１２６】
図８に示すＴＶ１７１は、表示制御部１７２として、図５に示す表示制御装置１４０の機能を内蔵している。図５に示すブロックと同じ機能を持つ部分には、同じ符号を用いている。
【０１２７】
図８に示す表示制御部１７２は、図５の表示制御装置１４０の表示部１２７を備えておらず、番組情報取得部１２６は、ユーザに提示する番組情報を、放送映像を表示させる表示部１７４へ出力する。
【０１２８】
受信部１３１、嗜好情報管理部１３３および電源管理部１３４から、チャンネル監視部１４１への情報は、インタフェース部１７３を介して渡される構成としているが、インタフェース部１７３を介さずに、これらのブロック間で直接渡される構成としてもよい。
【０１２９】
図８に示すＴＶ１７１における嗜好番組情報の更新および取得処理は、図６、図７（ａ）および図７（ｂ）に示した表示制御装置１４０およびＴＶ１５０における処理と同様であり、番組情報を、放送映像を表示させる表示部１７４に表示させる点のみが異なる。
【０１３０】
表示制御部１４２は、放送映像を表示させている表示部１７４の一部、例えば表示部１７４の右下に小さいウインドウを表示させ、番組情報取得部１２６から出力される番組情報を、そのウインドウ内に表示させるように制御する。
【０１３１】
（実施の形態３）
図９は、本発明にかかる実施の形態３の表示制御装置、並びにＴＶおよびセンター装置の構成を示すブロック図である。
【０１３２】
図９において、本実施の形態３の表示制御装置１８０が、図１に示される実施の形態１の表示制御装置１２０と相異する点は、実施の形態２の表示制御装置１４０が備えるチャンネル監視部１４１と同様のチャンネル監視部１４１を備えている点のみであり、その他の構成要素は表示制御装置１２０と同様であるので同じ符号を付し、ここでは説明を省略する。
【０１３３】
また、表示制御装置１８０とネットワーク１１０経由で接続されるセンター装置は、実施の形態１におけるセンター装置１００と同じであるので同じ符号を付し、ここでは説明を省略する。
【０１３４】
表示制御装置１８０においては、電源監視部１２３がＴＶ１５０の電源状態が電源オフになったか否かを確認した結果と、チャンネル監視部１４１がＴＶ１５０においてチャンネル変更が行われたか否かを確認した結果に基づき、表示制御部１４３が、表示部１２７における番組情報などの表示を制御するように構成されている。
【０１３５】
一方、表示制御装置１８０と接続されるＴＶ１５０は、実施の形態２におけるＴＶ１５０と同じ構成であり、実施の形態２におけるＴＶ１５０と同様に、受信部１３１からインタフェース部１３２経由で、表示制御装置１８０に対して選局情報を出力できるように構成されている。
【０１３６】
次に、図１０を用いて、本実施の形態３の表示制御装置１８０の処理の流れを説明する。なお、図１０は、本発明にかかる実施の形態３の表示制御装置１８０の処理の流れを示すフローチャートである。
【０１３７】
図１０において、表示制御装置１８０にて嗜好番組情報取得処理が開始されると（ステップＳ９０１）、表示制御装置１８０の電源監視部１２３は、ＴＶ１５０の電源状態が電源オフになったか否かを確認する（ステップＳ９０２）。
【０１３８】
ステップＳ９０２において、電源監視部１２３がＴＶ１５０の電源状態が電源オフになっていないことを確認した場合（ステップＳ９０２においてＮＯの場合）には、表示制御装置１８０のチャンネル監視部１４１は、ＴＶ１５０においてチャンネル変更がなされたか否かを確認する（ステップＳ９０３）。
【０１３９】
ステップＳ９０３において、チャンネル監視部１４１が、チャンネル変更がなされていないことを確認した場合（ステップＳ９０３においてＮＯの場合）は、再びステップＳ９０２に戻って、ＴＶ１５０の電源状態が電源オフになったか否かを確認する。
【０１４０】
ステップＳ９０２において、電源監視部１２３がＴＶ１５０の電源状態が電源オフになったことを確認した場合（ステップＳ９０２においてＹＥＳの場合）、および、ステップＳ９０３において、チャンネル変更がなされたことを確認した場合（ステップＳ９０３においてＹＥＳの場合）、すなわち、ＴＶ１５０における電源およびチャンネルのいずれかで状態変化を確認した場合には、表示制御装置１８０の嗜好情報取得部１２４は、インタフェース部１２２経由で、ＴＶ１５０の嗜好情報管理部１３３からユーザの嗜好情報を取得する（ステップＳ９０４）。
【０１４１】
表示制御装置１８０の検索部１２５では、嗜好情報取得部１２４がＴＶ１５０から取得した嗜好情報から嗜好対象番組を抽出する（ステップＳ９０５）。
【０１４２】
そして、通信部１２１が、検索部１２５で抽出された嗜好対象番組に関連する番組情報を、ネットワーク１１０経由で番組情報配信システム１０２から取得する（ステップＳ９０６）。嗜好対象番組に関連する番組情報は、通信部１２１経由で番組情報取得部１２６が取得する。
【０１４３】
番組情報取得部１２６は、嗜好対象番組に関連する番組情報を取得すると、ＴＶ１５０における状態変化が「チャンネル変更」あるいは「電源オフ」のいずれであるかを確認する（ステップＳ９０７）。
【０１４４】
ステップＳ９０７において、番組情報取得部１２６は、ＴＶ１５０における状態変化がチャンネル変更であることを確認した場合には、取得した番組情報の中から変更前のチャンネルで間もなく放送予定の番組の番組情報を少なくとも１つ選択し（ステップＳ９０８）、表示部１２７に出力する。また、ステップＳ９０７において、ＴＶ１５０における状態変化が電源オフであることを確認した場合には、取得した番組情報の中から間もなく放送予定の番組の番組情報を少なくとも１つ選択して（ステップＳ９０９）、表示部１２７に出力する。
【０１４５】
ここで、「間もなく放送予定の番組」とは、例えば、現在時刻を基準にして予め決められた時間以内（例えば、３時間以内など）に放送開始予定の番組などである。
【０１４６】
表示制御部１４２は、ＴＶ１５０の電源状態が電源オフになった、またはチャンネル変更がなされたという検出結果を受け取ると、入力された番組情報を表示させるように表示部１２７を制御し（ステップＳ９１０）、嗜好番組情報取得処理を完了する（ステップＳ９１１）。
【０１４７】
なお、ステップＳ９０８において、変更前のチャンネルで間もなく放送予定の番組の番組情報を少なくとも１つ選択するのに代えて、変更後のチャンネル以外のチャンネルで間もなく放送予定の番組の番組情報を少なくとも１つ選択するようにしてもよい。
【０１４８】
以上のように、ＴＶ１５０（本発明の放送受信装置）の電源がオフになるタイミングで、あるいは、ＴＶ１５０においてチャンネル変更がなされたタイミングで、ユーザの嗜好対象番組に関する番組情報の中から、それぞれ、間もなく放送予定であった番組に関連する番組情報を選択、あるいは、変更前のチャンネルで間もなく放送予定であった番組に関連する番組情報を選択して、表示制御装置１８０の表示部１２７（本発明の番組情報表示部）に表示させるので、放送受信装置の電源オフ時に、ユーザの嗜好に合った番組情報を表示でき、さらに、ユーザの嗜好情報に応じたお勧め番組の視聴促進情報などについても表示することができることから、嗜好番組の見逃しを防止することができる。さらに、ユーザが、放送受信装置において同一チャンネルのテレビ番組の視聴を続けている状態で、視聴したい番組を見逃すことがない状態においては視聴促進情報などを表示しないので、ユーザに対する冗長な情報提供を防止することが可能となる。
【０１４９】
さらに、ＴＶ１５０の状態変化が電源オフであることが確認された場合は全チャンネルの中から、ＴＶ１５０の状態変化がチャンネル変更であることが確認された場合は変更前のチャンネルの中から、嗜好対象番組の番組情報を表示させることができ、より効率的に番組視聴促進情報を表示することが可能になる。
【０１５０】
なお、本実施の形態３においては、ＴＶ１５０の電源がオフになったか否か、あるいは、チャンネル変更がなされたか否か、を確認した後に嗜好情報の取得を行う場合を例に挙げて説明したが、実施の形態１および２と同様に嗜好情報を事前に取得しておいてもかまわない。
【０１５１】
また、実施の形態１の図４に示したように、表示制御装置１８０の表示部１２７を設けずに、外部に接続する表示装置に番組情報を表示させる構成としてもよい。
【０１５２】
また、実施の形態２の図８に示したように、表示制御装置１８０の機能をＴＶに備えさせ、ＴＶの表示部の一部に放送映像に重畳させて番組情報を表示させるようにしてもよい。
【０１５３】
また、本発明および本発明に関連する発明は、実施の形態１〜３における各部を備える表示制御装置として提供することができるばかりでなく、表示制御装置が具備する各部を備える表示制御集積回路や、表示制御装置が具備する各部における処理を各ステップとする表示制御方法、および、その表示制御方法をコンピュータに実行させる表示制御用のプログラムを提供することも可能である。そして、その表示制御用のプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【０１５４】
なお、本発明および本発明に関連する発明のプログラムは、上述した表示制御方法の、前記放送受信装置から視聴者の嗜好情報を取得する前記嗜好情報取得ステップ、前記嗜好情報に合致した嗜好対象番組の前記番組情報を前記サーバから取得する前記番組情報取得ステップ、前記電源オフ指示および前記チャンネル切り替え指示の少なくとも一方に基づいて、前記番組情報の表示開始を制御する前記表示制御ステップの動作をコンピュータにより実行させるためのプログラムであって、コンピュータと協働して動作するプログラムである。
【０１５５】
また、本発明および本発明に関連する発明のプログラム記録媒体は、上述した表示制御方法の、前記放送受信装置から視聴者の嗜好情報を取得する前記嗜好情報取得ステップ、前記嗜好情報に合致した嗜好対象番組の前記番組情報を前記サーバから取得する前記番組情報取得ステップ、前記電源オフ指示および前記チャンネル切り替え指示の少なくとも一方に基づいて、前記番組情報の表示開始を制御する前記表示制御ステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【０１５６】
また、本発明および本発明に関連する発明の上記「ステップの動作」とは、前記ステップの全部または一部の動作を意味する。
【０１５７】
また、本発明および本発明に関連する発明のプログラムの一利用形態は、コンピュータにより読み取り可能な、ＲＯＭ等の記録媒体に記録され、コンピュータと協働して動作する態様であっても良い。
【０１５８】
また、本発明および本発明に関連する発明のプログラムの一利用形態は、インターネット等の伝送媒体、光・電波等の伝送媒体中を伝送し、コンピュータにより読みとられ、コンピュータと協働して動作する態様であっても良い。
【０１５９】
また、上述した本発明および本発明に関連する発明のコンピュータは、ＣＰＵ等の純然たるハードウェアに限らず、ファームウェアや、ＯＳ、更に周辺機器を含むものであっても良い。
【０１６０】
なお、以上説明した様に、本発明および本発明に関連する発明の構成は、ソフトウェア的に実現しても良いし、ハードウェア的に実現しても良い。
【産業上の利用可能性】
【０１６１】
本発明の表示制御装置および表示制御方法等は、冗長な情報提供をすることなく、適切なタイミングでユーザの嗜好情報に応じたお勧め番組を提示して嗜好番組の見逃しを防止できる効果を有し、ユーザの視聴状態に応じた番組情報を提供する表示制御装置および表示制御方法等として有用である。
【符号の説明】
【０１６２】
１００  センター装置
１０１  放送番組配信システム
１０２  番組情報配信システム
１１０  ネットワーク
１２０  表示制御装置
１２１  通信部
１２２  インタフェース部
１２３  電源監視部
１２４  嗜好情報取得部
１２５  検索部
１２６  番組情報取得部
１２７  表示部
１２８  表示制御部
１３０  ＴＶ
１３１  受信部
１３２  インタフェース部
１３３  嗜好情報管理部
１３４  電源管理部
１３５  表示部
１４０  表示制御装置
１４１  チャンネル監視部
１４２  表示制御部
１４３  表示制御部
１５０  ＴＶ
１６０  表示制御装置
１７０  表示装置
１７１  ＴＶ
１７２  表示制御部
１７３  インタフェース部
１７４  表示部
１８０  表示制御装置
４１１  番組情報サーバ
４１２  インターネット
４１３  家庭内ＬＡＮ
４２１  表示制御端末
４２２  アクセスポイント
４２３  ルータ
４２４  録画装置
４２５  映像表示音声再生装置
【図１】
0005552115.tif 000002
【図２】
0005552115.tif 000003
【図３（ａ）】
0005552115.tif 000004
【図３（ｂ）】
0005552115.tif 000005
【図４】
0005552115.tif 000006
【図５】
0005552115.tif 000007
【図６】
0005552115.tif 000008
【図７（ａ）】
0005552115.tif 000009
【図７（ｂ）】
0005552115.tif 000010
【図８】
0005552115.tif 000011
【図９】
0005552115.tif 000012
【図１０】
0005552115.tif 000013
【図１１】
0005552115.tif 000014